(57)【要約】【課題】  陳列ケースにその上面の挿入口から挿入物を挿入してショップの棚に並べる展示装置において、挿入物の両側下縁が陳列ケース内の底部材の側縁外側に嵌入して挿入物のスムーズな抜き取りができず、また陳列ケースが膨出する不都合をなくする。【解決手段】  上面に挿入口１を有する透明な陳列ケースＫと、この陳列ケース内の底に組み入れた底部材Ａとからなり、この陳列ケース内に上記底部材と陳列ケースの広幅な側壁との間に挿入物の幅広な側面の下縁落ち込みを防止する落ち止め手段Ｃを設けて、挿入物の両側下縁の落ち込みを防止する。【選択図】  図１
2005035658.tif 000002
【特許請求の範囲】
【請求項１】
上面に挿入口を有する透明な陳列ケースと、この陳列ケース内の底に組み入れた底部材とからなり、この陳列ケース内に上記底部材と陳列ケースの広幅な側壁との間に挿入物の幅広な側面の下縁落ち込みを防止する落ち止め手段を設けたことを特徴とする展示装置。
【発明の詳細な説明】
【技術分野】
【０００１】  この発明は、ケースに商品を収納して展示する展示装置に関する。
【背景技術】
【０００２】  ショップでのレンタル商品や販売商品の展示は、上面の挿入口から透明な陳列ケースに商品の収納ケースを挿入して、ショップの棚に収納ケースの挿入ずみ陳列ケースを並べる。【０００３】  上記レンタル商品や販売商品としては、例えばＣＤカセットの音楽や映像を記録してあるディスクやビデオテープ、ゲームソフトなどがある。【０００４】  その際、陳列ケース内には、収納ケースに収納してある商品に見合う背見出しが組み入れてある。【０００５】  勿論、収納ケースにかえて挿入口から陳列ケースにブックを挿入して、ショップの棚にブックの挿入ずみ陳列ケースを並べる。【０００６】  また、陳列ケース内の底には、底部材が組み入れてあり、この底部材が上げ底としての役目により挿入口の上方に挿入ずみ収納ケース（ブックも同様に）の上部を突出させて、存在を知らせるものがある（例えば、特許文献１参照）。【０００７】
【特許文献１】  特願２００２−１６７８９７号（図１、図２）
【発明の開示】
【発明が解決しようとする課題】
【０００８】  ところで、特許文献１の構造のものは、底部材の上面で挿入物の下面を受架した際、挿入物の収納ケースが、箱体と蓋体とからなり、上記箱体と蓋体との内と外とで重なり合うそれぞれに周壁を有する対向主壁の周縁が上記周壁の表面に対し突出する構造の場合、下位辺の突出部分が底部材の上面側縁と展示ケースの周壁との間に嵌り込む。【０００９】  すると、挿入物である収納ケースの抜き取りをスムーズに行うことができない。【００１０】  また、上述の嵌り込みによって展示ケースの周壁が膨出するので、膨出分量だけ展示ケースの幅が増加する。【００１１】  すると、各膨出展示ケースによって棚に並べた際の数の減少になる。【００１２】  上記の問題は、挿入物がブックの場合表表紙や裏表紙の下位辺の縁の嵌り込みによっても発生する。【００１３】  そこで、この発明の課題は、上述の嵌り込みをなくすることにある。
【課題を解決するための手段】
【００１４】  上記のような課題を解決するために、この発明は、上面に挿入口を有する透明な陳列ケースと、この陳列ケース内の底に組み入れた底部材とからなり、この陳列ケース内に上記底部材と陳列ケースの広幅な側壁との間に挿入物の幅広な側面の下縁落ち込みを防止する落ち止め手段を設けた構成を採用したものである。【００１５】  この発明において、挿入口から陳列ケースに挿入した挿入物である商品の収納ずみ収納ケースを構成する箱体と蓋体との対向する主壁の周壁から外方に突出する辺縁部や、挿入物であるブックの表表紙及び背表紙の下位辺縁が底部材の側縁から下方に嵌り込むのを落ち止め手段によって防ぐことになる。
【発明の効果】
【００１６】  以上のように、この発明の展示装置によれば、挿入口から陳列ケースに挿入した挿入物の側面下縁が、底部材の側縁から下方に嵌り込むのを落ち止め手段により防止する。【００１７】  このため、挿入物のス厶ーズな引き抜きができ、また嵌り込みによって発生した陳列ケースの膨出や膨出にともなうショップの棚に並べた際の陳列数の減少をなくすることができる。
【発明を実施するための最良の形態】
【００１８】  以下、この発明の実施の形態を添付図面に基づいて説明する。【００１９】  図１から図５は、この発明の展示装置を示すもので、Ｋは上面に挿入口１を有する透明な陳列ケースである。【００２０】  上記の陳列ケースＫは、例えば透明な合成樹脂製の成形品や、ブランクから組み立てたものがある。【００２１】  また、陳列ケースＫ内の底には、上げ底用としての底部材Ａが組み入れてある。【００２２】  上記底部材Ａの端辺の片端には、陳列ケースＫの細幅な片方の端壁２の内面に挿入する背見出しＢの押さえシート１１が起立させて設けてある。【００２３】  上記の背見出しＢは、挿入口１から陳列ケースＫに挿入する挿入物Ｘであるレンタルや販売商品としての例えばＣＤカセットの音楽や映像を記録してあるディスクやビデオテープ、ゲームソフトなどを収納した収納ケースの上記収納商品に見合う印刷紙で、印刷紙が平面コ字状（センター部と両サイド部とからなる）に屈曲してあるので、押さえシート１１も平面同形状に屈曲したが、平面コ字状に限定されず、背見出しＢが平面Ｌ形（センター部と片方のサイド部とからなる）の場合、押さえシート１１を平面Ｌ形にする。【００２４】  勿論、背見出しＢの挿入を必要としない場合、押さえシートのない底部材Ａのみであってもよい。【００２５】  なお、挿入物Ｘは、上述の収納ケースに限定されず、ブックであってもよい。【００２６】  そして、挿入物Ｘの上部を挿入口１から上方に突出させて、陳列ケースＫ挿入してある挿入物Ｘの存在を知らせる底部材Ａは、合成樹脂の成形品以外にブランクをコ字状屈曲して使用することもある。【００２７】  また、陳列ケースＫ内には、挿入物Ｘの両側の下縁が落ち込むのを防止する落ち止め手段Ｃが設けてある。【００２８】  上記の落ち止め手段Ｃは、図示の場合底部材Ａ上に重なる底壁２１と、この底壁２１の両側縁から連なって上方に突出すると共に、陳列ケースＫの長辺の側壁３の内面に重なる起立壁２２とで構成され、底壁２１と起立壁２２との境に挿入物Ｘの両側下縁（収納ケースを構成する箱体と蓋体との対向主壁の内と外とで重なり合う周壁に対し外方に突出縁や、ブックの表表紙及び裏表紙の）が受架されるようになっている。【００２９】  すなわち、挿入物Ｘの両側下縁が底部材Ａの側縁から下方に嵌り込むのを防止する。【００３０】  すると、陳列ケースＫ内で挿入物Ｘの挿入姿勢が安定すると共に、スムーズな引き抜きができ、また陳列ケースＫの外方（側壁３）の膨出もない。【００３１】  また、図４及び図５に示すように、両起立壁２２の下部に両端が起立壁２２の下縁（折れ線）に到達するコ字状の切り込み２３を入れて、この切り込み２３の内側を下方に反転させて設けた切り起こし片２４を底部材Ａの両側外側に差し込んで落ち止め手段Ｃの安定をはかる。【００３２】  さらに、図６、図７に示すように、側壁３のスリット２５に起立壁２２の上縁コーナーを差し込んだり、図８、図９に示すように起立壁２２の貫孔３１（スリットも可）に陳列ケースＫの側壁３にＵ字状の切り込み２６を入れて、この切り込み２６の内側の突片２７を貫孔２５に差し込んだり、図１０に示すように、陳列ケースＫの側壁３の上縁に連なる折り返し片２８により起立壁２２の上縁を抱き込んだりすることによって、挿入物Ｘの引き抜きにともない落ち止め手段Ｃが共に抜き取られるのをなくすることができる。
【図面の簡単な説明】
【００３３】
【図１】  この発明の展示装置の分解斜視図
【図２】  同上の組み立てた状態を示す縦断正面図
【図３】  同横断平面図
【図４】  他の展示装置の分解斜視図
【図５】  同上を組み立てた状態を示す縦断正面図
【図６】  起立壁の抜け止めを示す分解斜視図
【図７】  同上を組み立てた状態を示す縦断正面図
【図８】  他の抜け止めを示す分解斜視図
【図９】  同上を組み立てた状態を示す縦断正面図
【図１０】  他の抜け止めを示す縦断正面図
【図１１】  展示装置の分解斜視図
【図１２】  同上を組み立てた縦断正面図
【図１３】  同横断平面図
【符号の説明】
【００３４】  Ｋ      陳列ケース
Ａ      底部材
Ｂ      背見出し
Ｃ      落ち止め手段
Ｘ      挿入物
１      挿入口
２      端壁
３      側壁
１１    押さえシート
２１    底壁
２２    起立壁
【図１】
2005035658.tif 000003
【図２】
2005035658.tif 000004
【図３】
2005035658.tif 000005
【図４】
2005035658.tif 000006
【図５】
2005035658.tif 000007
【図６】
2005035658.tif 000008
【図７】
2005035658.tif 000009
【図８】
2005035658.tif 000010
【図９】
2005035658.tif 000011
【図１０】
2005035658.tif 000012
【図１１】
2005035658.tif 000013
【図１２】
2005035658.tif 000014
【図１３】
2005035658.tif 000015